(57)【要約】【課題】物品に加わる外力がＲＦタグ等の個体識別体に影響を及ぼすことを回避・低減し、個体識別体の物品外部からの視認性や通信性能も損なわない。【解決手段】パレット１０へのＲＦタグ２０の取り付け方法であって、ＲＦタグ２０は、取付体３０に固定されており、取付体３０は、パレット１０の側面に設けられた取付体３０の装着部１１に、ＲＦタグ２０に加わる物理的衝撃を逃す又は吸収するように、装着部１１と取付体３０との接続箇所を支点として折れ曲がり可能に取り付けられる。【選択図】図２
2020095527.tif 000002
【特許請求の範囲】
【請求項１】
物品への個体識別体の取り付け方法であって、
前記個体識別体は、取付体に固定されており、
前記取付体は、前記物品の側面に設けられた前記取付体の装着部に、
前記個体識別体に加わる物理的衝撃を逃す又は吸収するように、前記装着部と前記取付体との接続箇所を支点として折れ曲がり可能に取り付けられている
ことを特徴とする物品への個体識別体取り付け方法。
【請求項２】
前記個体識別体は、前記物品の少なくとも一つの側面から視認可能に前記装着部に配置される
ことを特徴とする請求項１に記載の物品への個体識別体取り付け方法。
【請求項３】
前記個体識別体は、前記物品の外周面より内部に納まるように前記装着部に配置される
ことを特徴とする請求項１又は２に記載の物品への個体識別体取り付け方法。
【請求項４】
前記個体識別体は、ＲＦタグ，バーコード，二次元コードのいずれか一つ、又は２種以上の組み合わせである
ことを特徴とする請求項１〜３のいずれか一項に記載の物品への個体識別体取り付け方法。
【請求項５】
取付体を介して個体識別体が装着される装着部を側面に備えた物品であって、
前記個体識別体を固定した前記取付体が、前記装着部に対して、前記請求項１〜４記載の方法により取り付けられてなる
ことを特徴とする個体識別体を備える物品。
【請求項６】
取付体を介して個体識別体が装着される装着部を側面に備えた物品であって、
前記個体識別体を固定した前記取付体が、前記装着部に対して、前記個体識別体に加わる物理的衝撃を逃す又は吸収するように、前記装着部と前記取付体との接続箇所を支点として折れ曲がり可能に取り付けられてなる
ことを特徴とする個体識別体を備える物品。
【請求項７】
前記物品はパレットである
ことを特徴とする請求項５又は６に記載の個体識別体を備える物品。
【請求項８】
前記物品は金属製パレットである
ことを特徴とする請求項５〜７のいずれか一項に記載の個体識別体を備える物品。
【請求項９】
前記取付体が透明体からなる
ことを特徴とする請求項５〜８のいずれか一項に記載の個体識別体を備える物品。
【請求項１０】
前記取付体が剛性体又は弾性体からなる
ことを特徴とする請求項５〜９のいずれか一項に記載の個体識別体を備える物品。
【請求項１１】
前記取付体が、弾性体又はヒンジ構造を介して、前記装着部に対して折れ曲がり可能に取り付けられてなる
ことを特徴とする請求項５〜１０のいずれか一項に記載の個体識別体を備える物品。
【発明の詳細な説明】
【技術分野】
【０００１】
本発明は、例えばＲＦタグやバーコード，二次元コードなどの個体識別体を所定の物品に取り付けるための方法及び構造に関し、特に、個体識別体に外部から加わる物理的衝撃を緩和・抑制するための個体識別体取り付け方法及び個体識別体を備える物品に関する。
【背景技術】
【０００２】
一般に、任意の物品や対象物に対して、当該物品や対象物に関する所定情報（個体識別情報）を読み書き可能に記憶したＩＣチップを内蔵した所謂ＲＦタグが広く使用されている。
ＲＦタグは、ＲＦＩＤ（Ｒａｄｉｏ  Ｆｒｅｑｕｅｎｃｙ  Ｉｄｅｎｔｉｆｉｃａｔｉｏｎ）タグ，ＩＣタグ，非接触タグ等とも呼ばれ、ＩＣチップと無線アンテナを備えた電子回路が樹脂フィルム等の基材によって封止・コーティングされた所謂インレイ（インレット）が、タグ（荷札）状に形成されてなる超小型の通信端末であり、読取・書込装置（リーダ・ライタ）によってタグ内のＩＣチップに所定の情報が無線で読み取りや書き込み，読み書き（リードオンリー，ライトワンス，リード・ライト）が行えるようになっている。
【０００３】
そして、このようなＲＦタグに所定の情報を書き込んで任意の物品，対象物等に取り付けることにより、ＲＦタグに記録された情報がリーダ・ライタによりピックアップされ、タグに記録された情報を、当該物品に関する所定情報、例えば、当該物品の名称や識別記号，内容物，成分，管理者，使用者，使用状態，使用状況などの種々の情報を、個体識別情報として認識，出力，表示，更新等させることができる。
このようなＲＦタグは、ＩＣチップのメモリに数百ビット〜数キロビットのデータが記録可能であり、物品等に関する情報としては十分な情報量を記録でき、また、読取・書込装置側とは非接触で通信が行えるため接点の磨耗や傷、汚れ等の心配もなく、さらに、タグ自体は無電源にすることができるため対象物に合わせた加工や小型化・薄型化が可能となる。このため、ＲＦタグは、どのような対象物にも場所を取らずに容易に装着でき、対象物品の個体識別体として使用できることから、近年広く普及している。
【０００４】
ところが、このようＲＦタグは、ＩＣチップとアンテナをフィルムコーティングしたインレイそのものや、インレイを薄型の筐体やホルダなどに収納しただけの構造であるため、そのままの状態では、外部から加わる衝撃等によって故障や誤動作，破損などが生じる原因となる。
例えば、貨物用のパレットやスキッドなどに取り付けられるＲＦタグは、運搬用のフォークリフトの爪や他のパレット，構造物などが接触・衝突等することによって、恒常的に物理的，機械的な外力・衝撃が加わるおそれのある状態にあり、そのようなパレット等の対象物に取り付けられて用いられるＲＦタグの場合、外力が加わることによって容易に脱落や損傷・破壊等してしまうおそれがあった。
【０００５】
このため、このような外力が加わり易い環境下で使用されるＲＦタグについては、より強固なカバーやケース，筐体などに収納することで、ＲＦタグを物理的・機械的な衝撃等から保護することが行われている。
例えば、特許文献１−３には、例えばパレットやスキッドに取り付けられるＲＦタグについて、ＲＦタグをパレットの搭載面（デッキ）の上面又は下面からパレット内部に格納・埋設することで、ＲＦタグに物理的衝撃等が直接加わらないようにする提案がなされている。
【先行技術文献】
【特許文献】
【０００６】
【特許文献１】特開２００９−０１８８３０号公報
【特許文献２】特開２００９−２０８７８７号公報
【特許文献３】特開２０１４−０３４４０２号公報
【発明の概要】
【発明が解決しようとする課題】
【０００７】
しかしながら、特許文献１，２に提案されているような、ＲＦタグをパレット内部に格納・埋設等してしまう構造では、ＲＦタグをパレットの外部から視認することが困難乃至不可能となり、ＲＦタグの存在自体が確認できなくなるという問題が生じる。
例えば、ＲＦタグをパレットの搭載面（デッキ）に埋設等した場合、パレットの側面からはＲＦタグの存在を視認できず、確認できるのは、非運搬時・非使用時のパレットの上面（又は下面）からのみであり、パレットの運搬中にＲＦタグを視認・確認することはできなかった。
ＲＦタグは、必要に応じて表面にバックアップ用のバーコードや二次元コードなどが付される場合があり、取り付けられた物品等の外部から視認できなくなると、そのようなバーコード等の読み取りもできなくなってしまう。
【０００８】
また、ＲＦタグをパレット内部に埋設等する構造では、パレットに外力が加わると、パレットに接触しているＲＦタグには逃げがなくなり、特に大きな力が加わることで故障・破壊等が生じるおそれがあった。
また、ＲＦタグをパレットの内部に格納等してしまうと、タグの交換や再度取り付けるのにも手間がかかるという問題もあった。
さらに、パレットが金属製パレットの場合には、ＲＦタグをパレット内部に埋め込むと、ＲＦタグの通信自体が行えなくなるという根本的な問題が生じてしまう。
【０００９】
本発明は、上記のような従来の技術が有する課題を解決するために提案されたものであり、特殊な保護構造や物品内部への格納・埋設構造等を必要とすることなく、物品に加わる外力がＲＦタグ等の個体識別体に影響を及ぼすことを可能な限り回避・低減することができ、個体識別体の物品外部からの視認性や通信性能を損なうこともない物品への個体識別体取り付け方法及び個体識別体を備える物品の提供を目的とするものである。
【課題を解決するための手段】
【００１０】
上記目的を達成するため、本発明に係る方法は、物品への個体識別体の取り付け方法であって、前記個体識別体は、取付体に固定されており、前記取付体は、前記物品の側面に設けられた前記取付体の装着部に、前記個体識別体に加わる物理的衝撃を逃す又は吸収するように、前記装着部と前記取付体との接続箇所を支点として折れ曲がり可能に取り付けられている構成としてある。
また、本発明に係る物品は、取付体を介して個体識別体が装着される装着部を側面に備えた物品であって、前記個体識別体を固定した前記取付体が、前記装着部に対して、上記本発明に係る方法により取り付けられてなる構成としてある。
【発明の効果】
【００１１】
本発明によれば、特殊な保護構造や物品内部への格納・埋設構造等を必要とすることなく、物品に加わる外力がＲＦタグ等の個体識別体に影響を及ぼすことを可能な限り回避・低減することができる。また、個体識別体の物品外部からの視認性や通信性能を損なうこともなくなる。
したがって、本発明によれば、外部から物理的な力や衝撃が加わることの多いパレットやスキッド等に用いられるＲＦタグ等に好適な個体識別体の取り付け方法及び個体識別体を備える物品を提供することができる。
【図面の簡単な説明】
【００１２】
【図１（ａ）（ｂ）】本発明の一実施形態に係る物品への個体識別体取り付け方法及び個体識別体を備える物品について、（ａ）は対象物品となるパレットの使用状態を示す説明図、（ｂ）はパレットの外観斜図である。
【図１（ｃ）（ｄ）】本発明の一実施形態に係る物品への個体識別体取り付け方法及び個体識別体を備える物品について、（ｃ）はパレットの装着部に装着された個体識別体の外観図、（ｄ）は対象製品となるカゴ付きの金属製パレットの外観斜視図である。
【図２】本発明の一実施形態に係る個体識別体取り付け方法によりパレットに取り付けられた個体識別体の取り付け構造を模式的に示す側面図である。
【図３】本発明の一実施形態に係る個体識別体取り付け方法によりパレットに取り付けられた個体識別体に外力が加わった場合の動作を模式的に示す側面図である。
【発明を実施するための形態】
【００１３】
以下、本発明に係る物品への個体識別体取り付け方法及び個体識別体を備える物品の実施形態について、図面を参照しつつ説明する。
図１は、本発明の第一実施形態に係る物品への個体識別体取り付け方法及び個体識別体を備える物品について、（ａ）は対象物品となるパレットの使用状態を示す説明図、（ｂ）はパレットの外観斜図、（ｃ）はパレットの装着部に装着された個体識別体の外観図である。
また、図２は、本実施形態に係る個体識別体取り付け方法によりパレットに取り付けられた個体識別体の取り付け構造を模式的に示す側面図である。
【００１４】
これらの図に示すように、本実施形態に係る物品への個体識別体取り付け方法及び個体識別体を備える物品は、対象物品となるパレット１０に対して、個体識別体となるＲＦタグ２０を取り付けるための方法及び構造となっている。
具体的には、個体識別体となるＲＦタグ２０は、取付体３０に固定されており、ＲＦタグ２０を固定した取付体３０が、パレット１０の側面に設けられた装着部１１に装着されるようになっており、これによって、ＲＦタグ２０は、外部から加わる物理的衝撃を逃す又は吸収するように、装着部１１と取付体３０との接続箇所を支点として折れ曲がり可能となるようにパレット１０に取り付けられるようになる。
以下、各部を詳細に説明する。
【００１５】
［パレット］
パレット１０は、スキッドとも呼ばれる、運搬対象となる物や荷物を搭載して運搬・搬送される際に使用される荷役台であり、本発明の適用対象となる個体識別体が取り付けられる物品を構成している。
具体的には、パレット１０は、図１（ａ）及び（ｂ）に示すように、運搬対象物を搭載可能な搭載面となる矩形状の上面デッキ１０ａ及び下面デッキ１０ｂと、上下面デッキ１０ａ，１０ｂの間にフォークリフト１００の爪１００ａ（図３参照）が挿入される空間を形成する複数の桁１０ｃを備えており、複数の各桁１０ｃの間にフォークリフト１００の爪１００ａが挿入されて、使用・運搬されるようになっている。
【００１６】
上下面デッキ１０ａ，１０ｂは、いずれを搭載面として使用できるように同形・同大に形成され、また、パレット１０を上下方向に重ねて積層できるようになっている。
桁１０ｃは、パレット１０の側面の二方向又は四方向からフォークリフト１００の爪１００ａが挿入可能な空間を形成している。
このようなパレット１０は、木製，合成樹脂製，金属製などがあり、耐久性などの面からは金属製パレットが好適に使用される。本実施形態のパレット１０も、金属製パレットが用いられることを想定している。また、図１（ｄ）に示すような、搭載物の転落防止などのためのカゴ付きの金属製パレット２００が用いられることもある。
そして、本実施形態では、パレット１０（２００）の側面の所定位置に、ＲＦタグ２０を取り付けるための装着部１１が備えられるようになっている。
【００１７】
［装着部］
装着部１１は、後述する取付体３０を介してＲＦタグ２０が装着される装着領域であり、本実施形態では、図１（ｂ）に示すように、フォークリフト１００の爪１００ａが挿入されることを想定していない（挿入される可能性の低い）、パレット１０の側面のほぼ中心において、上下面デッキ１０ａ，１０ｂの間の空間を利用して構成されるようになっている。
ここで、装着部１１は、パレット１０の４方向の側面の少なくとも一つの側面に設けることができ（図１（ｂ）参照）、必要に応じて、パレット１０の任意の複数の側面に設けることもできる。また、パレット１０の同一側面において、複数の装着部１１を設けることも可能である。
【００１８】
このような装着部１１を備えることによって、ＲＦタグ２０は、パレット１０の上下面デッキ１０ａ，１０ｂの内部に格納，埋設等されることなく、また、特別な保護構造等を必要とすることなく、パレット１０に装着・取り付けすることができる。
そして、このような装着部１１に装着されたＲＦタグ２０は、図１（ｂ）及び（ｃ）に示すように、パレット１０の側面から視認可能な状態で装着部１１に配置されるようになる。これによって、ＲＦタグ２０は、パレット１０の外部から一目でその存在を視認・確認できるように、ＲＦタグ２０にバックアップ用のバーコードや二次元コード等がある場合にもそれらを容易かつ確実に読み取り等することができ、さらに、ＲＦタグ２０の着脱・交換等も容易に行えるようになる。
【００１９】
また、装着部１１に装着・配置されるＲＦタグ２０は、パレット１０の外周面より内部に納まるように装着部１１に配置されるようになっている（図２参照）。
このような構成により、装着部１１に装着されたＲＦタグは、パレット１０の上下面デッキ１０ａ，１０ｂの外縁よりもパレット内側に位置することになり、パレット１０の上下方向からＲＦタグ２０に対して他の物体等が接触したり衝突したりすることがなくなり、ＲＦタグ２０は装着部１１の内部において確実に保護・ガードされることになる。
なお、装着部１１に装着されるＲＦタグ２０の配置位置は、パレット１０の上下面デッキ１０ａ，１０ｂの外縁よりもパレット内側であって、上述したように、パレット１０の外部からのＲＦタグ２０の視認性や着脱性，バーコード等の読取性等が損なわれない適切な位置に配置される。例えば、パレット１０の外周から約２〜３ｃｍ程度パレット内側の位置にＲＦタグ２０が配置されるようにすることが好ましい。
【００２０】
［ＲＦタグ］
上記のような装着部１１に装着されるＲＦタグ２０は、リーダ・ライタ（読取・書込装置）との間で無線による所定の情報の読み取りや書き込み，読み書きが行われるＲＦタグを構成しており、例えばリードオンリー型，ライトワンス型，リード・ライト型等の種類がある。
具体的には、ＲＦタグ２０は、ＩＣチップと、ＩＣチップが搭載されるループ回路アンテナと、ループ回路アンテナの両側に伸びるダイポールアンテナを備えたインレイと、インレイを収納するケース・筐体などで構成されている。
【００２１】
ここで、ＲＦタグ２０が備えるＩＣチップは、メモリ等の半導体チップからなり、例えば数百ビット〜数キロビットのデータが記録可能となっている。
ＩＣチップには、アンテナが接続され、アンテナの一部がチップ周囲を囲むようにループ状の回路導体として接続されてループ回路部を構成しており、ループ回路部を経由して、ＩＣチップの左右両側や片側にアンテナが接続されている。
そして、ループ回路部によってＩＣチップのインピーダンス整合が図られつつ、アンテナを介して図示しないリーダ・ライタとの間で無線通信による読み書き（データ呼び出し・登録・削除・更新など）が行われ、ＩＣチップに記録されたデータが認識されるようになっている。
ＩＣチップに記録されるデータとしては、例えば、商品の識別コード、名称、重量、内容量、製造・販売者名、製造場所、製造年月日、使用期限等、任意のデータが記録可能であり、また、書換も可能である。
【００２２】
また、ＲＦタグ２０で使用される通信周波数帯としては、例えば所謂ＵＨＦ帯に属する８６０〜９６０ＭＨｚ帯を対象とすることができる。
一般にＲＦタグで使用される周波数帯としては、例えば、１３５ｋＨｚ以下の帯域、１３．５６ＭＨｚ帯、ＵＨＦ帯に属する８６０〜９６０ＭＨｚ帯、２．４５ＧＨｚ帯等の数種類の周波数帯がある。そして、使用される周波数帯によって無線通信が可能な通信距離が異なるとともに、周波数帯によって最適なアンテナ長などや配線パターンが異なってくる。
【００２３】
例えば、取付対象となるパレット１０の邪魔とならず、大きな設置スペース（装着部１１）も必要ないよう小型化されたＲＦタグ２０であれば、波長が短くアンテナが小型化できるＵＨＦ帯を対象とすることができ、例えば８６０ＭＨｚ帯や９２０ＭＨｚ帯を対象とすることができ、これらの周波数帯において良好な通信特性が得られるような取り付け構造を採用することが可能となる。
但し、ＲＦタグ２０の大きさの制約等がなければ、本発明に係る技術思想自体は、ＲＦタグ２０の通信周波数は、特定の周波数帯に限定されるものではなく、例えばＵＨＦ帯以外の任意の周波数帯域についても適用できることは勿論である。
【００２４】
なお、以上のようなＲＦタグ２０は、具体的な構成や構造・機能等については、特に限定されるものではない。
例えば、既存の汎用タグや、特定の製品・用途などにカスタマイズされた専用タグなど、任意のものを対象とすることができ、その構成や形状・大きさ・機能などはどのようなものであっても、本実施形態に係るＲＦタグ２０として採用することができる。
すなわち、無線通信可能なＲＦタグとして動作・機能するものであれば、本実施形態のＲＦタグ２０として適用することができる。
【００２５】
また、ＲＦタグ２０には、例えばインレイを収納した筐体の表面などに、バックアップ用のバーコードや二次元コードが付されることがある。このようなバーコード，二次元コードについても、本発明の個体識別体を構成することができる。
また、ＲＦタグ２０に代えて、バーコード又は二次元コードを、単独又は組み合わせて装着部１１に取り付けることも可能である。
したがって、本発明に係る個体識別体は、ＲＦタグ，バーコード，二次元コードのいずれか一つ、又は２種以上の組み合わせによって構成することができるものである。
【００２６】
［取付体］
取付体３０は、ＲＦタグ２０をパレット１０の装着部１１に装着するための介在部材であって、ＲＦタグ２０が固定された取付体３０が装着部１１に取り付けられることによって、装着部１１の内部に装着・配置される。
そして、取付体３０は、外部から例えばフォークリフト１００の爪１００ａが進入してＲＦタグ２０に物理的衝撃が加わると、その物理的衝撃を逃す又は吸収するように、装着部１１との接続箇所を支点として折れ曲がるようになる。
これによって、ＲＦタグ２０に物理的な外力が加わったとしても、取付体３０が折れ曲がることによって、その物理的な外力が逃がされ又は吸収されて、ＲＦタグ２０に衝撃が加わることが回避乃至低減されるようになる。
【００２７】
具体的には、取付体３０は、ＲＦタグ２０に加わる外力によって折れ曲がり可能な弾性力を有する弾性体、例えばゴムや合成樹脂等によって形成することができる。
また、取付体３０は、ＲＦタグ２０に加わる外力によって折れ曲がり可能な折れ曲がり・折り畳み構造体、例えばヒンジ構造・蝶番等によって形成することもできる。
また、このような弾性体やヒンジ構造からなる取付体３０は、その一部に折れ曲がり不能な剛性体を含むこともできる。
【００２８】
また、取付体３０は、装着部１１に取り付けられた状態において、取付体３０の表面（又は裏面）に固定されているＲＦタグ２０が、パレット１０の外周面より内部に納まるように、例えば、パレット１０の外周から約２〜３ｃｍ程度パレット内側の位置にＲＦタグ２０が配置されるように、装着部１１に取り付け・固定される（図２参照）。
これによって、取付体３０を介して装着部１１に装着されたＲＦタグは、パレット１０の上下面デッキ１０ａ，１０ｂの外縁よりもパレット内側に位置するようになり、パレット１０の上下方向からＲＦタグ２０に対して他の物体等が接触したり衝突したりすることが防止される。
この取付体３０の装着部１１の取り付け位置は、パレット１０の上下面デッキ１０ａ，１０ｂの外縁よりもパレット内側であって、上述したように、パレット１０の外部からのＲＦタグ２０の視認性や着脱性，バーコード等の読取性等が損なわれない適切な位置に設定される。
【００２９】
［取り付け構造］
次に、以上のような取付体３０とその取り付け構造の具体的な内容について、図２及び図３を参照して説明する。
図２（ａ）に示す取付体３０ａは、例えば金属製のＬ字金具（治具）３１ａと、弾性体３２ａとで構成されている。この場合、Ｌ字金具３１ａは剛性体であり、弾性体３２ａのみが上述した弾性体材料によって形成されている。
この取付体３０ａは、パレット１０の装着部１１を構成する上面デッキ１０ａのパレット内部底面側の所定位置（例えばパレット１０の外縁から数ｃｍ程度内側の位置）に、Ｌ字金具３１ａが例えばボルト止めや溶接等によって接続・固定され、装着部１１内に垂下された状態で配置される。また、弾性体３２ａの表面には、ＲＦタグ２０が例えば接着剤やボルト止め等によって固定される。
【００３０】
そして、装着部１１に固定されたＬ字金具３１ａに対して、ＲＦタグ２０が固定された弾性体３２ａが、ＲＦタグ２０が装着部１１（パレット１０）の外側（側面前方）を向くようにして配置され、例えばボルト止めや接着剤等によって取り付け・固定される。
これによって、ＲＦタグ２０は、弾性体３２ａ及びＬ字金具３１ａを介してパレット１０の装着部１１（上面デッキ１０ａ）に装着・固定される。
このような取り付け構造において、パレット１０の外部（装着部１１の前方）から例えばフォークリフト１００の爪１００ａが進入してＲＦタグ２０に外力が加わると、図３に示すように、弾性体３２ａがＬ字金具３１ａとの接続箇所を支点として折れ曲がる。
これによって、ＲＦタグ２０に加わる物理的な衝撃は後方（パレット内側方向）に吸収・緩和されることになり、ＲＦタグ２０が衝撃によって脱落・破壊等されることが回避されるようになる。
【００３１】
図２（ｂ）に示す取付体３０ｂは、例えばＬ字形状に形成された弾性体３２ｂのみによって構成されている。この場合、取付体３０ｂの全体が上述した弾性体材料によって形成されることになる。
この取付体３０ｂは、装着部１１を構成する上面デッキ１０ａのパレット内部底面側の所定位置に、Ｌ字形状の弾性体３２ｂが、ＲＦタグ２０が装着部１１（パレット１０）の外側を向くようにして配置され、例えばボルト止め等によって接続・固定される。
これによって、ＲＦタグ２０は、弾性体３２ｂを介してパレット１０の装着部１１（上面デッキ１０ａ）に装着・固定される。
【００３２】
このような取り付け構造において、パレット１０の外部からＲＦタグ２０に外力が加わると、上述した図２（ａ）の場合と同様に、弾性体３２ｂが装着部１１（上面デッキ１０ａ）との接続箇所を支点として折れ曲がり、ＲＦタグ２０に加わる物理的な衝撃が吸収・緩和されるようになる（図３参照）。
また、この図２（ｂ）に示す取り付け構造の場合、図２（ａ）の取り付け構造と比較して、取付体３０ｂを弾性体３２ｂのみで構成できることから、部品点数を少なくすることができ、取り付け作業の容易化やコスト低減を図ることができるようになる。
【００３３】
図２（ｃ）に示す取付体３０ｃは、図２（ａ）の場合とほぼ同様の構成となっており、金属製等のＬ字金具（治具）３１ｃと、弾性体３２ｃとで構成されており、図２（ａ）と同様にボルト等によって装着部１１に取り付けられるようになっている。
そして、この取り付け構造では、図２（ａ）の場合と異なり、ＲＦタグ２０は、弾性体３２ｃの裏面側（パレット内側）に配置され、装着部１１（パレット１０）の外側からは、弾性体３２ｃによって隠されるようになる。
【００３４】
これによって、パレット１０の外部からフォークリフト１００の爪１００ａが進入しても、ＲＦタグ２０には爪１００ａが直接接触，当接することがなく、弾性体３２ｃを介して間接的に外力が加わることになり、ＲＦタグ２０の表面が爪１００ａなどによって傷付くことを防止できるようになる。
また、この場合には、ＲＦタグ２０が弾性体３２ｃの裏面側に配置されることから、弾性体３２ｃは透明体によって構成することが望ましい。
これによって、ＲＦタグ２０は透明な弾性体３２ｃを介してパレット１０の外部から視認・確認することができ、バックアップ用のバーコード等も透明な弾性体３２ｃを介して読み取りが行えるようになる。
【００３５】
図２（ｄ）に示す取付体３０ｄは、図２（ａ）の場合とほぼ同様に、金属製等のＬ字金具（治具）３１ｄと、弾性体３２ｄを備え、さらに、ＲＦタグ２０を固定するための剛体３３ｄを備えており、剛体３３ｄが弾性体３２ｄに固定されることで、ＲＦタグ２０が装着部１１に取り付けられるようになっている。
ここで、剛体３３ｄとしては、例えば金属製や合成樹脂製のプレートなどで構成することができる。
この場合には、ＲＦタグ２０は予め剛体３３ｄと一体的に取り付け，固定しておくことができ、剛体３３ｄとともに弾性体３２ｄに対して着脱することで、装着部１１への取り付けや交換をより容易にすることができるようになる。
【００３６】
図２（ｅ）に示す取付体３０ｅは、図２（ｄ）の場合とほぼ同様の構成となっており、Ｌ字金具（治具）３１ｅと、ＲＦタグ２０を固定した剛体３３ｅを備えているが、弾性体３２ｄに代えて、ヒンジ３２ｅを備える点が異なっている。
このように弾性体に代えてヒンジ構造を備えた取付体３０によっても、パレット１０の外部からＲＦタグ２０に外力が加わると、図２（ａ）−（ｄ）に示した弾性体の場合と同様に、ヒンジ３２ｅがＬ字金具３１ｅとの接続箇所を支点として折れ曲がり、ＲＦタグ２０に加わる物理的な衝撃が吸収・緩和されることになる（図３参照）。
このように、外力によって折れ曲がることが可能であれば、弾性変形する弾性体であっても、折れ曲がり構造を有するヒンジ・蝶番であっても、取付体３０の構成要素とすることができ、コスト等に応じて好適な部品等を選択・採用することができる。
【００３７】
［取り付け方法］
次に、以上のような構造を有する本実施形態に係るＲＦタグ２０を固定した取付体３０のパレット１０への取り付け方法について説明する。
まず、ＲＦタグ２０は、予め取付体３０の一部に対して取り付けて固定しておく。
具体的には、上述した図２（ａ）−（ｃ）に示す構造の場合には、弾性体３２ａ−３２ｃに対して、ＲＦタグ２０を例えば接着剤やボルト止め等によって固定する。
また、図２（ｄ）及び（ｅ）に示す構造の場合には、剛体３３ｄ，３３ｅに対して、ＲＦタグ２０を固定しておく。
【００３８】
次に、ＲＦタグ２０を固定した取付体３０の弾性体３２又は剛体３３に対して、取付体３０の他の構成要素を取り付けて、取付体３０の組み立てを完成させる。
なお、図２（ｂ）に示す構造では、取付体３０ｂが弾性体３２ｂ単体で構成されているので、以下のような組み立て作業は不要である。
具体的には、図２（ａ）又は（ｃ）に示す構造の場合には、ＲＦタグ２０を固定した弾性体３２ａ又は３２ｃと、Ｌ字金具３１とを、例えばボルト止めや接着剤等によって接続・固定する。
この場合、図２（ａ）と図２（ｃ）とでは、ＲＦタグ２０の向きが、それぞれパレット外側又は内側となるように、Ｌ字金具３１と弾性体３２とを固定する。
【００３９】
また、図２（ｄ）に示す構造の場合には、ＲＦタグ２０を固定した剛体３３ｄを、間に弾性体３２ｄを挟んだ状態で、Ｌ字金具３１に対してボルト止め等によって固定する。この場合、剛体３３ｄと弾性体３２ｄ、弾性体３２ｄとＬ字金具３１ｄを、それぞれ別々に固定することもでき、また、剛体３３ｄと弾性体３２ｄとＬ字金具３１ｄとを、例えば一つのボルト止めによって一体的に固定することもできる。
また、図２（ｅ）に示す構造の場合には、ＲＦタグ２０を固定した剛体３３ｄを、ヒンジ３２ｅの一方の蝶番に、また、Ｌ字金具３１ｄをヒンジ３２ｅのもう一方の蝶番に、それぞれボルト止め等によって固定する。
【００４０】
次に、組み立てが完成した取付体３０を、パレット１０の装着部１１に取り付けて固定する。
具体的には、取付体３０ａを、パレット１０の装着部１１を構成する上面デッキ１０ａのパレット内部底面側の所定位置（例えばパレット１０の外縁から数ｃｍ程度内側の位置）に、Ｌ字金具３１（図２（ａ），（ｃ）−（ｄ）の場合）又は弾性体３２（図２（ｂ）の場合）を、例えばボルト止めや溶接等によって接続・固定する。
なお、取付体３０のＬ字金具３１（図２（ａ），（ｃ）−（ｄ）の場合）を、先に装着部１１に接続・固定し、その後に、ＲＦタグ２０を固定してある弾性体３２ａ，３２ｃ，３２ｄ、ヒンジ３２ｅをＬ字金具３１に対して接続・固定することもできる。
以上により、ＲＦタグ２０を固定した取付体３０のパレット１０への取り付けが完了する。
【００４１】
以上説明したように、本発明の一実施形態に係る物品への個体識別体取り付け方法及び個体識別体を備える物品によれば、まず、パレット１０の装着部１１に取り付けられた取付体３０は、弾性体３２ａ−３２ｄ又はヒンジ３２ｅによって、ＲＦタグ２０に加わる物理的衝撃を逃す又は吸収するように、装着部１１と取付体３０との接続箇所を支点として折れ曲がり可能な状態で装着・配置されるようになる。
したがって、ＲＦタグ２０に物理的な外力が加わったとしても、取付体３０が折れ曲がることによって、その物理的な外力が逃がされ又は吸収されて、ＲＦタグ２０に衝撃が加わることを回避乃至低減させることができるようになる。
【００４２】
また、ＲＦタグ２０は、パレット１０の少なくとも一つの側面から視認可能に装着部１１に配置されるため、パレット１０の外部から一目でその存在を視認・確認でき、ＲＦタグ２０にバックアップ用のバーコード等が備えられる場合にも読み取り等が簡単に行え、さらに、ＲＦタグ２０の着脱・交換等も容易に行えるようになる。また、パレット１０の外周面近傍に配置されるＲＦタグ２０は、パレット１０が金属製の場合であっても、通信特性が阻害されることはなく、円滑・良好な無線通信が行えるようになる。
さらに、取付体３０を介して装着部１１内に装着・配置されたＲＦタグ２０は、パレット１０の外周面より内部に納まるように装着部１１に配置されるため、パレット１０の上下方向からＲＦタグ２０に物体等が接触・衝突することが防止され、ＲＦタグ２０は装着部１１の内部において確実にガードされるようになる。
【００４３】
このように、本発明によれば、特殊な保護構造や物品内部への格納・埋設構造等を必要とすることなく、物品に加わる外力がＲＦタグ等の個体識別体に影響を及ぼすことを可能な限り回避・低減することができる。また、個体識別体の物品外部からの視認性や通信性能を損なうこともなくなる。
したがって、例えば運搬用のパレットやスキッド、貨物用のコンテナ，カゴ台車，カートラックなどのように、特に外部から物理的な力や衝撃が加わることの多い対象物等に装着されるＲＦタグ等の個体識別体の取り付け方法・取り付け構造に好適に適用することができる。
【００４４】
以上、本発明の物品への個体識別体取り付け方法及び個体識別体を備える物品について、好ましい実施形態を示して説明したが、本発明は、上述した実施形態にのみ限定されるものではなく、本発明の範囲で種々の変更実施が可能であることは言うまでもない。
例えば、上述した実施形態では、本発明に係る個体識別体（ＲＦタグ）を使用する物品として、運搬用，貨物用などに使用されるパレットを例示しているが、本発明を適用できる物品，対象物としては、パレットに限定されるものではない。
すなわち、ＲＦタグ等の個体識別体が装着されて、リーダ・ライタを介して所定の情報・データが読み書きされて管理等される物品，対象物であれば、どのような物品・対象物であっても本発明に係る取り付け方法や取り付け構造を適用することができる。
【産業上の利用可能性】
【００４５】
本発明は、例えば貨物用のパレットやコンテナなど、任意の物品や対象物に取り付けられて使用される、耐久性や耐衝撃性等を高めるためにＲＦタグ等の個体識別体の取り付け方法・取り付け構造として好適に利用することができる。
【符号の説明】
【００４６】
１０  パレット
１１  装着部
２０  ＲＦタグ
３０  取付体
１００  フォークリフト
２００  カゴ付き金属製パレット
【図１（ａ）（ｂ）】
2020095527.tif 000003
【図１（ｃ）（ｄ）】
2020095527.tif 000004
【図２】
2020095527.tif 000005
【図３】
2020095527.tif 000006